(57)【特許請求の範囲】
【請求項１】
箱形のベッド台にベッド部が配設され、そのベッド部に被縫製物を送る送り装置の送り台が移動可能に設けられ、その送り台に糸切り装置が設けられた穴かがり縫いミシンにおいて、
前記ベッド台のうちの糸切り装置に近い側の端部に、糸切り装置で切断された糸屑を回収する上方開放状の糸屑回収室が一体形成され、
前記糸屑回収室は、ベッド台の中央壁部と、ベッド台の下端部から鉛直上向きに延びる後部壁と、その後部壁の左右両端と中央壁部とに接する左右両壁部とにより、平面視矩形状且つ側面視三角形状に一体的に形成され、
前記中央壁部はベッド台の側壁であり、その側壁は下方へ行く程ベッド台の内方に移行する傾斜状に形成され、
ルーパーを有するルーパー土台に、前記糸屑を前記糸屑回収室の方へ移動させる糸屑収集部材を設けた、
ことを特徴とする穴かがり縫いミシン。
【請求項２】
前記糸屑回収室内に収容された糸屑を吸い出す吸い出し機構を設けたことを特徴とする請求項１に記載の穴かがり縫いミシン。
【請求項３】
前記ベッド部のうちの糸切り装置に近い側の端部と前記糸屑回収室との間に、前記糸切り装置で切断された糸屑を前記糸屑回収室に回収可能に落とし込む渡し板部材を設けたことを特徴とする請求項１又は２に記載の穴かがり縫いミシン。
【発明の詳細な説明】
【技術分野】
【０００１】
本発明は、穴かがり縫いミシンに関し、特にベッド部に移動可能に配設された送り台に設けた糸切り装置の糸切断に際して発生した糸屑を回収する糸屑回収室を、ベッド部を支持する箱形のベッド台の内部に、一体的に設けるようにしたものである。
【背景技術】
【０００２】
従来、鳩目穴かがり縫目を縫製する穴かがり縫いミシンにおいては、鳩目穴かがり縫いが開始されると、ミシンモータの駆動により上軸が回転駆動され、その上軸の回転により、針棒上下動機構の駆動により針棒が上下動されるとともに、ルーパーが駆動され、更に、針振り機構により針棒が揺動され、天秤機構により天秤が揺動される。そして、鳩目穴かがり縫目が形成されると、ベッド部に装備された糸切り装置が駆動され、下糸と芯糸とが切断される。
【０００３】
例えば、特許文献１に記載の鳩目穴かがりミシンの糸切り装置は、箱形のベッド台と、これに上方揺動可能に枢支されたベッド部と、そのベッド部から立ち上がる脚柱部と、この脚柱部の上端部から前方に延びるアーム部を有している。アーム部の前端部に針棒が上下動且つ揺動可能に設けられ、針棒に対向するベッド部の部位に２個のルーパーを備えたルーパー土台が設けられている。
【０００４】
更に、ベッド部には、ルーパー糸カッターとこれを切断作動させる糸切り用エアシリンダとを有するルーパー糸切断機構が設けられ、鳩目穴かがり縫目の縫い終わりに際して、糸切り用エアシリンダの駆動でルーパー糸切断機構が作動し、鳩目穴かがり縫目の縫い始め位置から延びている下糸端部と、縫い終わり位置から延びる下糸とを、縫い終わり位置近傍で同時に切断するようになっている。
【０００５】
【特許文献１】特開２００１−３２１５８９号公報  （第４〜６頁、図１，図４）
【発明の開示】
【発明が解決しようとする課題】
【０００６】
前述したように、特許文献１に記載の鳩目穴かがりミシンの糸切り装置においては、送り台の内部にルーパー糸切断機構を設け、鳩目穴かがり縫目の縫い終わりに際してルーパー糸切断機構を作動させて、鳩目穴かがり縫目の縫い始めの下糸端部も同時に切断するようにしてある為、その縫い始めの下糸端部が糸屑になる。その糸屑は近傍に位置するルーパー土台の回転に伴って移動し、いずれ、ベッド部のフレームの端からベッド台の底の方に落下するようになる。
【０００７】
その結果、糸屑は落下しながらベッド部の下側に設けられたルーパー駆動機構や送り台駆動機構等の種々の駆動機構のあらゆる部位に付着する。特に、糸屑が大量に駆動機構の回転部や摺動部に付着するような場合には、送り台の送り精度が悪化したり、潤滑油が十分に供給できなくなり、駆動部が発熱し、故障や磨耗の原因になるという問題がある。
【課題を解決するための手段】
【０００８】
請求項１の穴かがり縫いミシンは、箱形のベッド台にベッド部が配設され、そのベッド部に被縫製物を送る送り装置の送り台が移動可能に設けられ、その送り台に糸切り装置が設けられた穴かがり縫いミシンにおいて、ベッド台のうちの糸切り装置に近い側の端部に、糸切り装置で切断された糸屑を回収する上方開放状の糸屑回収室が一体形成され、糸屑回収室は、ベッド台の中央壁部と、ベッド台の下端部から鉛直上向きに延びる後部壁と、その後部壁の左右両端と中央壁部とに接する左右両壁部とにより、平面視矩形状且つ側面視三角形状に一体的に形成され、中央壁部はベッド台の側壁であり、その側壁は下方へ行く程ベッド台の内方に移行する傾斜状に形成され、ルーパーを有するルーパー土台に、糸屑を糸屑回収室の方へ移動させる糸屑収集部材を設けたものである。
【０００９】
鳩目穴かがり縫目の縫い終わりに際して、糸切り装置による糸切断で糸屑ができた場合、その糸屑は糸屑回収室に回収されるので、従来のように、糸屑がベッド部から下側のベッド台の底部に落下することがない。その為、糸屑が駆動機構の駆動部や摺動部に付着せず、駆動機構は糸屑で何ら邪魔されることなく、正常に動作する。
【００１０】
【００１１】
【００１２】
【００１３】
請求項２の穴かがり縫いミシンは、請求項１において、前記糸屑回収室内に収容された糸屑を吸い出す吸い出し機構を設けたものである。
【００１４】
請求項３の穴かがり縫いミシンは、請求項１又は２において、前記ベッド部のうちの糸切り装置に近い側の端部と糸屑回収室との間に、糸切り装置で切断された糸屑を糸屑回収室に回収可能に落とし込む渡し板部材を設けたものである。
【発明の効果】
【００１５】
請求項１の発明によれば、箱形のベッド台にベッド部が配設され、そのベッド部に被縫製物を送る送り装置の送り台が移動可能に設けられ、その送り台に糸切り装置が設けられた穴かがり縫いミシンにおいて、ベッド台に、糸切り装置で切断された糸屑を回収する糸屑回収室を設けたので、糸屑がベッド部から下側のベッド台の底部に落下することがなく、糸屑が駆動機構の駆動部や摺動部に付着しない為、駆動機構は糸屑で何ら邪魔されることがない。それ故、駆動機構の耐久性が格段に向上し、駆動機構の正常動作が可能になるうえ、信頼性を高めることができる。
【００１６】
前記糸屑回収室はベッド台のうちの糸切り装置に近い側の端部に一体形成されたので、糸屑回収室を別途設けることなく、ベッド台に一体的に成形でき、部品点数や組み付け作業の簡単化を図ることができる。
【００１７】
【００１８】
ルーパーを有するルーパー土台に、糸屑を糸屑回収室の方へ移動させる糸屑収集部材を設けたので、鳩目穴かがり縫目を縫う毎に、ルーパー土台は所定角度だけ反時計回りと時計回りとに交互に回動するのに伴って、ルーパー土台とベッド部のフレームとの間に落下した糸屑を糸屑収集部材で糸屑回収室の方に移動できる。それ故、糸屑を効果的に且つ迅速に糸屑回収室に回収させることができる。
【００１９】
請求項２の発明によれば、前記糸屑回収室内に収容された糸屑を吸い出す吸い出し機構を設けたので、糸屑回収室に収容された糸屑を作業者が取り出すことなく、吸い出し機構により外部に吸い出されることになり、糸屑の自動回収化が可能になる。その他請求項１と同様の効果を奏する。
【００２０】
請求項３の発明によれば、前記ベッド部のうちの糸切り装置に近い側の端部と糸屑回収室との間に、糸切り装置で切断された糸屑を糸屑回収室に回収可能に落とし込む渡し板部材を設けたので、糸切断により発生した糸屑は、ベッド台に落ちることなく、渡し板部材により確実に糸屑回収室に落とし込んで収納することができる。その他請求項１又は２と同様の効果を奏する。
【発明を実施するための最良の形態】
【００２１】
本実施例の穴かがり縫いミシンは、ベッド台の前端部に糸屑回収室が一体形成され、糸切り装置で糸切りされた糸端部が糸屑になった場合、その糸屑をルーパー土台の縫製開始位置への復帰回動に伴って糸屑回収室の方に移動させ、糸屑回収室に回収するようにしてある。
【実施例】
【００２２】
図１〜図３に示すように、穴かがり縫いミシン１は、上方を開放した略矩形箱状をなすベッド台２と、そのベッド台２に嵌め込むように載置されたベッド部３と、そのベッド部３の後方部から立設される脚柱部４と、その脚柱部４の上部から前方に延びるアーム部５等を有し、ミシンテーブル（図示略）上に載置固定されている。
【００２３】
アーム部５の先端下部には、縫針６を備えた針棒７が上下動可能に設けられ、詳しく図示はしないが、ミシンモータの駆動により回転する主軸の回転力が図示しない針棒上下動機構と針振り機構とに夫々伝達され、針棒７は上下動しながら所定幅分だけ左右に揺動するようになっている。この場合、主軸が２回転する毎に、針棒７は左側揺動位置と右側揺動位置とに揺動するようになっている。
【００２４】
また、ベッド部３のフレームＦ（以下、単にベッドフレームＦと言う）のうちの水平な支持フレーム部Ｆａに、針棒７に対向するように２個のルーパー（図示略）を備えたルーパー土台１０が回転可能に設けられ、これら２個のルーパーは図示しないカム機構を介して主軸の回転により、針棒７の上下動と調時して駆動されるようになっている。
【００２５】
図１に示すように、ルーパー土台１０から一体的に下方に延びる駆動軸部１０ａに従動プーリ９が固着され、その従動プーリ９の後方のベッドフレームＦにθ方向駆動モータ２７が固着されている。更に、θ方向駆動モータ２７の駆動軸に固着された駆動プーリ２８と従動プーリ９とに亙ってタイミングベルト２９が掛け渡されている。
【００２６】
それ故、θ方向駆動モータ２７が駆動されると、１対のプーリ９，２８とタイミングベルト２９を介して、ルーパー土台１０が水平面において、図５に実線で示す待機位置から２点鎖線で示す対角位置まで約１８０°に亙って、鉛直軸周りに一体的に回動するようになっている。このとき、針棒７も同時に約１８０°に亙って回転駆動される。
【００２７】
ベッドフレームＦのうちの支持フレーム部Ｆａの直ぐ後側に、縦壁部Ｆｂにより一段高いメス受けフレーム部Ｆｃが形成され、そのメス受けフレーム部Ｆｃには、鳩目穴を形成する為のメス（図示略）を固着するメス土台１１が取付けられるとともに、このメスに対して上方より接離する打ち抜き用ハンマー本体（図示略）が揺動可能に設けられている。
【００２８】
このハンマー本体の先端部には、鳩目穴用のハンマー（図示略）が着脱可能に取付けられ、ベッド部３内に設けられたエアシリンダなどからなるハンマー駆動機構（図示略）により駆動され、鳩目穴が加工布に穿孔されるようになっている。
【００２９】
ベッド部３の上面部には、加工布がセットされる送り台８が水平移動可能に設けられている。この送り台８は全体として薄形の矩形箱状をなし、その内部に、送り台８を、Ｘ方向送りモータの駆動によりＸ方向（左右方向）に送り移動させるＸ方向移動機構（図示略）と、Ｙ方向送りモータの駆動によりＹ方向（前後方向）に送り移動させるＹ方向移動機構（図示略）とが設けられている。ここで、これら送り台８、Ｘ方向移動機構及びＹ方向移動機構により、被縫製物を送る送り装置が構成されている。
【００３０】
次に、送り台８の内部に設けられ、下糸と芯糸を切断する糸切り装置１５について簡単に説明する。
【００３１】
図４に示すように、送り台８の左右方向中央部の上面に左右１対のクロスプレート１３、１４が設けられ、右側クロスプレート１３の上面に、上刃部材１６と下刃部材１７とが段ネジ１８で回動可能に枢支されている。送り台８の内部の前端部に糸切り用エアシリンダ１９が左右方向向きに配設され、そのピストンロッド１９ａの先端部に、平面視ほぼＵ字形状の連結部材２０が固着されている。
【００３２】
鳩目穴かがり縫目ＨＮ（図４参照）の縫製終了に際して糸切り用エアシリンダ１９が駆動されると、ピストンロッド１９ａが所定ストロークＳだけ右方に進出し、連結部材２０を介して第１作動リンク２１が反時計回りに回動するので、第１連結リンク２２と、駆動リンク２３の回動と、第２作動リンク２４の時計回りの回動と、第２連結リンク２５と、第３連結リンク２６を介して、上刃部材１６が時計回りに回動し、下刃部材１７が反時計回りに回動され、上刃部材１６と下刃部材１７との協働で下糸と芯糸とが切断される。
【００３３】
次に、ベッド台２の前端部（これがベッド台のうちの糸切り装置に近い側の端部に相当する）に形成された糸屑回収室３０について説明する。
【００３４】
図１，図２，図５，図６に示すように、糸屑回収室３０は、ベッド台２の前端壁の幅方向中央部の一部であって、ベッド台２の幅寸法の約半分に相当する幅寸法の中央壁部２ａと、ベッド台２の下端部から鉛直上向きに延びる後部壁３１と、その後部壁３１の左右両端と中央壁部とに接する左右両壁部３２，３３とにより一体的に形成されている。それ故、糸屑回収室３０は、平面視ほぼ矩形状で且つ側面視ほぼ三角形状であり、上方が開放されている。
【００３５】
図１，図２に示すように、ベッドフレームＦの前端に、糸屑回収室３０よりも狭い幅寸法を有する渡し板部材３５の基端部が固着されている。即ち、渡し板部材３５は前方傾斜状であり、その前端は、糸屑回収室３０の後部壁３１よりも幾分前側まで延びている。それ故、ベッドフレームＦから前方に移動された糸屑は、傾斜した渡し板部材３５を滑り落ちるようにして糸屑回収室３０に収容されるようになっている。
【００３６】
次に、ルーパー土台１０の後側の隙間フレーム部Ｆｄ上に落下した糸屑を糸屑回収室３０の方へ移動させる糸屑収集部材３７について説明する。
【００３７】
図２，図５に示すように、ルーパー土台１０の一端部に、側面視ほぼクランク状であって、薄い板部材からなる糸屑収集部材３７の基端部が、図５に示す待機位置となるように固着されている。糸屑収集部材３７の先端部は下方に延び、支持フレーム部Ｆａのうちの、ルーパー土台１０と縦壁部Ｆｂとの間の狭い隙間フレーム部Ｆｄに当接するように配置されている。
【００３８】
即ち、鳩目穴かがり縫目ＨＮの縫い終わりに際して、糸切り装置１５により、鳩目穴かがり縫目ＨＮの縫い終わりの下糸と縫い始めの下糸端部も同時に切断される為、その縫い始めの下糸や芯糸の糸端部が糸屑として、その隙間フレーム部Ｆｄ上に落ちるようになっている。糸屑収集部材３７は、縫製時以外の場合には、図５に実線で示す待機位置に位置しているが、縫製が開始されると、ルーパー土台１０の回動に伴って待機位置から２点鎖線で示す対角位置まで、約１８０°分反時計回りに回動している。
【００３９】
しかし、糸切り装置１５により糸切断された後に、ルーパー土台１０が図５に示す元の縫製開始位置まで復帰回動するのに伴って、糸屑収集部材３７は隙間フレーム部Ｆｄ上に落ちた糸屑を糸屑回収室３０の方へ移動させながら元の待機位置まで回動する。このようにして、糸屑がベッドフレームＦの前端から傾斜した渡し板部材３５まで移動した場合、渡し板部材３５を滑るようにして糸屑回収室３０に自動的に回収される。
【００４０】
次に、糸屑回収室３０に収容された糸屑を圧縮エアにより吸い出す吸い出し機構４０について説明する。
図１に示すように、糸屑回収室３０の下端部の一箇所に、ビニール製の吸い出しホース４１の前端部が接続されている。吸い出しホース４１はベッド台２の底壁上を後方に延び、後端から外部に及んでいる。
【００４１】
吸い出し機構４０は、吸引口４２ａとエア入口４２ｂとエア出口４２ｃとを有するエジェクタ４２と、このエジェクタ４２に圧縮エアを供給するエア源等からなり、エア入口４２ｂ側のエア通路だけが狭くなっている。エジェクタ４２の吸引口４２ａには吸い出しホース４１の後端部が接続され、エジェクタ４２のエア入口４２ｂにはエア源からのエアホース４３が接続され、エア出口４２ｃにはごみ袋４４が取付けられている。
【００４２】
エア入口４２ｂにエア源からの圧縮エアＰＡが供給されると、そのエア流は狭いエア通路を通過するので、ベルヌーイの法則により、エジェクタ４２の内部において高速になり、それにより負圧状態（低圧状態）になるので、吸い出しホース４１を介して糸屑回収室３０に収納された糸屑が吸い出されてごみ袋に収容される。
【００４３】
次に、このように構成された穴かがり縫いミシン１の作用及び効果について説明する。
鳩目穴かがり縫目ＨＮが縫製されない場合、ルーパー土台１０が縫製開始位置に位置しているので、糸屑収集部材３７は図５に実線で示す待機位置に位置している。鳩目穴かがり縫目ＨＮの縫製が開始されると、ルーパー土台１０は反時計回りに回動位置まで約１８０°分回動するので、糸屑収集部材３７は同様に図５に２点鎖線で示す対角位置まで約１８０°分回動する。
【００４４】
鳩目穴かがり縫目ＨＮの縫製が終了して、糸切り装置１５により、前述したように鳩目穴かがり縫目ＨＮの縫い終わりの下糸及び芯糸と縫い始めの下糸端部も同時に切断される。その為、縫い始めの下糸や芯糸の糸端部が糸屑として、隙間フレーム部Ｆｄ上に落ちる。その後、ルーパー土台１０が元の縫製開始位置まで復帰回動するのに伴って、糸屑収集部材３７は隙間フレーム部Ｆｄ上に落ちた糸屑を糸屑回収室３０の方へ移動させながら元の待機位置まで回動する。
【００４５】
このように、糸屑がベッドフレームＦの前端から傾斜した渡し板部材３５まで移動した場合、傾斜した渡し板部材３５を滑るようにして糸屑回収室３０に自動的に回収される。糸屑回収室３０に収容された糸屑の量が多くなると、作業者はエア入口４２ｂにエア源からの圧縮エアＰＡを供給する。その為、前述したように、エジェクタ４２の吸い出し作用により、糸屑回収室３０に収納された糸屑が吸い出しホース４１を介して吸い出されてごみ袋４４に収容される。
【００４６】
このように、糸切り装置１５を有する穴かがり縫いミシン１のベッド台２に、糸切り装置１５で切断された糸屑を回収する糸屑回収室３０が設けられたので、糸屑がベッド部３から下側のベッド台２の底部に落下することがなく、糸屑が回動機構やその他の駆動機構の駆動部や摺動部に付着しない為、これら駆動機構は糸屑で何ら邪魔されることがない。それ故、駆動機構の耐久性が格段に向上し、駆動機構の正常動作が可能になるうえ、信頼性を高めることができる。
【００４７】
また、糸屑回収室３０はベッド台２のうちの糸切り装置１５に近い側の端部、つまり前端部に一体形成され、ルーパーを有するルーパー土台１０に、糸屑を糸屑回収室３０の方へ移動させる糸屑収集部材３７を設けたので、鳩目穴かがり縫目ＨＮを縫う毎に、ルーパー土台１０は反時計回りに所定角度だけ回動した後、糸切り後に所定角度だけ時計回りに回動復帰する際に、糸屑収集部材３７はルーパー土台１０と縦壁部Ｆｂとの間の隙間フレーム部Ｆｄに落下した糸屑を糸屑収集部材３７で糸屑回収室３０の方に移動させる。それ故、糸屑を効果的に且つ迅速に糸屑回収室３０に回収させることができる。
【００４８】
また、糸屑回収室３０に収容された糸屑を外部に吸い出す吸い出し機構４０を設けたので、糸屑回収室３０に収容された糸屑を作業者が取り出すことなく、吸い出し機構４０によりごみ袋４４に吸い出されることになり、糸屑の自動回収化が可能になる。
【００４９】
更に、前記ベッド部３のうちの糸切り装置１５に近い側の前端部に、前方傾斜状で且つ  糸屑回収室３０に達する渡し板部材３５を固着したので、糸切断により発生した糸屑は、糸屑収集部材３７で糸屑回収室３０の方に移動され、ベッド台に落ちることなく、渡し板部材３５により確実に糸屑回収室に落とし込んで収納することができる。
【００５０】
次に、前記実施形態を部分的に変更した変更形態について説明する。
１〕前述した糸屑回収室３０は、ベッド台２と別体であり、しかも水平軸によりその下端部において前方傾斜可能に枢着するように構成してもよい。即ち、糸屑回収室３０に収容された糸屑の量が多くなると、作業者は糸屑回収室３０を手前側（前側）に倒し、内部に収容された糸屑をごみ箱に捨てるようにしてもよい。
【００５１】
２〕糸屑回収室３０Ａはベッド台２と別体であり、ベッド台２に着脱可能であってもよい。即ち、図８に示すように、糸屑回収室３０Ａは合成樹脂製で所定幅を有する断面ほぼ逆三角形状の箱体として構成されている。そこで、前記実施例で設けた糸屑回収室３０と同じ位置、つまりベッド台２の前端部に、その箱体である糸屑回収室３０Ａを嵌め込む為の装着室２ｂが一体的に形成されている。
【００５２】
その糸屑回収室３０Ａには、前記実施例で説明したように、糸屑収集部材３７が対角位置から待機位置に回動復帰するに際して糸屑が自動的に収容される。そこで、糸屑回収室３０Ａに収容された糸屑の量が多くなると、作業者は図８に示すように、ベッド部３を傾斜姿勢に起こしてから、手で糸屑回収室３０Ａを摘み上げ、収容された糸屑をごみ箱に捨てる。その後、作業者は糸屑回収室３０Ａを元の装着室２ｂに取付ける。
【００５３】
この場合にも、前記実施例と同様に、ルーパー土台１０と縦壁部Ｆｂとの間の隙間フレーム部Ｆｄに落下した糸屑は糸屑収集部材３７で糸屑回収室３０Ａの方に移動され、糸屑回収室３０Ａに回収される。糸屑が糸屑回収室３０Ａに沢山溜まってくると、作業者は糸屑回収室３０Ａを取外し、内部に収容された糸屑をごみ箱に簡単に捨てることができる。
【００５４】
３〕ルーパー土台１０に複数の糸屑収集部材３７を取付けることが可能である。また、ルーパー土台１０に設ける糸屑収集部材３７が省略されてもよい。
【００５５】
４〕上下揺動するベッド部３に衝突しない大きさの渡し板部材３５を、糸屑回収室３０，３０Ａに一体的に形成するようにしてもよい。この場合にも、糸切断により発生した糸屑はベッド台３に落ちることなく、渡し板部材３５により確実に糸屑回収室３０，３０Ａに落とし込んで収納することができる。
【００５６】
５〕本発明は以上説明した実施の形態に限定されるものではなく、当業者であれば、本発明の趣旨を逸脱しない範囲で、前記実施例に種々の変更を付加して実施することができ、本発明はそれらの変更形態をも包含するものである。
【図面の簡単な説明】
【００５７】
【図１】一部縦断面を含む本発明の実施形態に係る鳩目穴かがりミシンの側面図である。
【図２】本発明の実施形態に係る鳩目穴かがりミシンの斜視図である。
【図３】鳩目穴かがりミシンの正面図である。
【図４】糸切り装置の平面図である。
【図５】ベッド部の要部縦断平面図である。
【図６】ベッド台の斜視図である。
【図７】図１の要部部分拡大側面図である。
【図８】変更形態に係る図１相当図である。
【符号の説明】
【００５８】
１      穴かがり縫いミシン
２      ベッド台
３      ベッド部
８      送り台
１０    ルーパー土台
１５    糸切り装置
３０    糸屑回収室
３５    渡し板部材
３７    糸屑収集部材
４０    吸い出し機構
４２    エジェクタ
【図１】
0004702609.tif 000002
【図２】
0004702609.tif 000003
【図３】
0004702609.tif 000004
【図４】
0004702609.tif 000005
【図５】
0004702609.tif 000006
【図６】
0004702609.tif 000007
【図７】
0004702609.tif 000008
【図８】
0004702609.tif 000009